(57)【要約】  人間又は動物のための部屋であって、第一の物体と、前記第一の物体から離間している第二の物体とを備えている部屋において、  前記第一の物体が対象とする昆虫を接触することにより殺すために形成された取りはずし可能な第一殺虫剤を備えていて、前記第二の物体が、前記第一殺虫剤とは異なる第二殺虫剤を備えており、前記第二殺虫剤は、前記第一殺虫剤に対して抵抗力のある前記対象とする昆虫に対して殺虫作用のある殺虫剤を形成している。
2011501954.tif 000002
【特許請求の範囲】
【請求項１】
人間又は動物のための部屋であって、第一の物体と、前記第一の物体から離間している第二の物体とを備えている部屋において、
前記第一の物体が対象とする昆虫を接触することにより殺すために形成された取りはずし可能な第一殺虫剤を備えていて、前記第二の物体が、前記第一殺虫剤とは異なる第二殺虫剤を備えており、前記第二殺虫剤は、前記第一殺虫剤に対して抵抗力のある前記対象とする昆虫に対して殺虫作用のある殺虫剤を形成している、部屋。
【請求項２】
前記第一の物体が布である請求項１に記載の部屋。
【請求項３】
前記第二の物体が布である、請求項１又は２に記載の部屋。
【請求項４】
前記第二の物体がフォイルである、請求項１又は２に記載の部屋。
【請求項５】
前記第二の物体が防水布である、請求項１又は２に記載の部屋。
【請求項６】
前記第一の物体が蚊帳である、請求項１−５のいずれか一項に記載の部屋。
【請求項７】
前記蚊帳が屋根部分と側面とを有していて、前記屋根部分が相乗剤を備えている、請求項６に記載の部屋。
【請求項８】
前記相乗剤が、前記蚊帳の前記屋根部分の材料に移行されて均質混合されている、請求項７に記載の部屋。
【請求項９】
前記屋根部分の材料がポリエチレンである、請求項８に記載の部屋。
【請求項１０】
前記側面は相乗剤を含んでいない殺虫剤を備えている、請求項６−９のいずれか一項に記載の部屋。
【請求項１１】
前記側面の材料がポリエステルである、請求項６−１０のいずれか一項に記載の部屋。
【請求項１２】
前記第一殺虫剤が前記蚊帳の前記側面に染みこんでいる、請求項６−１１のいずれか一項に記載の部屋。
【請求項１３】
前記第二の物体が壁面ライニングである、請求項１−１２のいずれか一項に記載の部屋。
【請求項１４】
前記壁面ライニングが最上部と最下部とを有していて、前記最上部だけが取りはずし可能な殺虫剤を含んでいる、請求項１３に記載の部屋。
【請求項１５】
前記壁面ライニングの前記最上部が１．６ｍより高い、請求項１４に記載の部屋。
【請求項１６】
前記壁面ライニングの前記最上部が暗い色である、請求項１４又は１５に記載の部屋。
【請求項１７】
前記壁面ライニングの前記最上部が１ｍより高く、好ましくは１．６ｍより高い、請求項１３に記載の部屋。
【請求項１８】
前記第二の物体がカーテンである、請求項１−１２のいずれか一項に記載の部屋。
【請求項１９】
前記カーテンが最上部と最下部とを備えていて、前記カーテンの最上部だけが取りはずし可能な殺虫剤を含んでいる、請求項１８に記載の部屋。
【請求項２０】
前記カーテンの最上部が１．６ｍより高い、請求項１９に記載の部屋。
【請求項２１】
前記第一殺虫剤が前記第一の物体の材料の一部分に移行して均質混合している、請求項１−２０のいずれか一項に記載の部屋。
【請求項２２】
前記第一殺虫剤がピレスロイドである、請求項１−２１のいずれか一項に記載の部屋。
【請求項２３】
前記第一の物体が相乗剤を備えている、請求項１−２２のいずれか一項に記載の部屋。
【請求項２４】
前記相乗剤は、両方の殺虫剤の効果的なエンハンサーである、請求項２３に記載の部屋。
【請求項２５】
前記相乗剤がＰＢＯである、請求項２４に記載の部屋。
【請求項２６】
前記相乗剤が第一の物体の材料の一部分に移行して均質混合している、請求項２３〜２５のいずれか一項に記載の部屋。
【請求項２７】
前記第二殺虫剤がピレスロイドを含んでいない殺虫剤である、請求項１〜２６のいずれか一項に記載の部屋。
【請求項２８】
前記第二殺虫剤がカルバメートである、請求項２７に記載の部屋。
【請求項２９】
前記第二殺虫剤がベンダイオカルブである、請求項２８に記載の部屋。
【請求項３０】
前記第一殺虫剤が前記第一の物体の第一の部分に備えられていて、前記相乗剤が前記第一の物体の第二の部分に備えられて、前記第二の部分は前記第一の部分と異なる部分である、請求項１〜２９のいずれか一項に記載の部屋。
【請求項３１】
前記第一の物体の前記第二の部分が、前記第一の物体の前記第一の部分の上方である、請求項３０に記載の部屋。
【請求項３２】
前記部屋（１１）が、壁（１０）と屋根（１５）とを備えた小屋の部分であって、前記屋根（１５）は前記壁（１０）の上面（１０’）の上方に配置されており、従って前記壁（１０）の前記上端（１０’）と前記屋根（１５）の下面（１５’）との間に空間（１４）が形成されていて、前記空間（１４）には壁面ライニング（１２）が充填されている、請求項１３〜１７のいずれか一項に記載の部屋。
【請求項３３】
前記壁面ライニング（１４）が前記壁（１０）の前記上面（１０’）の下方に延伸している、請求項３２に記載の部屋。
【請求項３４】
第一殺虫剤に対する昆虫の抵抗を無効にする方法であって、
第一の物体と、前記第一の物体から離間している第二の物体とを備えている部屋を設ける段階と、
対象とする昆虫を接触することにより殺すために形成された取りはずし可能な第一殺虫剤を前記第一の物体に設ける段階であって、前記第一殺虫剤は前記対象とする昆虫の間に前記殺虫剤に対する抵抗力を誘発する可能性がある段階と、
前記対象とする昆虫を接触することにより殺すために形成された取りはずし可能な第二殺虫剤を前記第二の物体に設ける段階であって、前記第二殺虫剤は前記第一殺虫剤と異なるものである段階と、
前記第一殺虫剤に対して抵抗力のある前記対象とする昆虫に対して殺虫効果のある前記第二殺虫剤を選択する段階と、を含んでいる方法。
【請求項３５】
前記第一の物体が蚊帳であって、前記第二の物体が下端部を有している壁面ライニングであって、そして前記方法は前記下端部を１．０ｍより高い高さに配置する段階を含んでいる、請求項３４に記載の方法。
【発明の詳細な説明】
【技術分野】
【０００１】
本発明は、異なる殺虫抵抗力を有する殺虫物体に関する。
【背景技術】
【０００２】
多くの異なる昆虫が、人間に影響を与える伝染病の媒介生物及び伝達物質に関する多くの問題をもたらしており、これらの昆虫を管理するために多大な努力が行なわれてきた。これらの努力は、双翅目（蚊、ブヨ、黒い昆虫（black flies）、ツエツエバエ及び他のbiting-flies）、半翅目（ベッドバグ（bed bugs））及びノミ目（ノミ）に属する昆虫の管理に向けられてきた。これらの昆虫を管理する方法には、壁の内外面を処理すること、エアスプレー、カーテン及び蚊帳への含浸が含まれている。カーテン及び蚊帳への含浸は、処理すべき表面が家への表面スプレーに比較して非常に少ないとの利点がある。蚊帳への含浸はすい眠虫の被害を低減し、たとえ蚊帳が使用するのに破られていても効果がある。
ピレスロイドを含浸させたネット又は繊維の効果は、これらの昆虫への迅速な殺虫性に基づくものであるけれど、これらの昆虫の一部に対する防虫作用に基づくものでもある。試験結果によると、含浸された蚊帳は部屋に浸入してくる蚊の７５％を防いでいる。従って、蚊帳は同一の部屋で寝ている蚊帳を使用していない他の人に対しても、いくらかの昆虫を防いでいる。
【０００３】
しかしながら、ある地域では、蚊はピレスロイドの対に耐性がある。これらの耐性のタイプの一つであるノックダウン耐性（ＫＤＲ）も迅速な効果への抵抗力となる。このことは、蚊が蚊帳に長時間とどまることを可能にし、従って致死量の殺虫剤を蓄積することであるけれども、死に至る前に蚊が刺す機会を与えることになる。他の耐性は、代謝耐性（metabolic resistance）であって、昆虫が殺虫作用に対する反作用する酵素を有していることである。
【０００４】
この場合相乗剤、例えばピペロニルブトキシド（ＰＢＯ）を蚊帳に加えると非常に効果がある。蚊帳におけるコーティングに相乗剤を用いることは、特許文献１〜１０に開示されている。
【０００５】
抵抗に打ち勝つ提案は、非特許文献１に記載されていて、ピレスロイド処理のカーテンの代りにカルバメート処理のカーテンの使用が提案されている。そのカルバメート処理のカーテンは、人々が処理されていない蚊帳で寝ている時に入口に吊り下げることが提案されている。しかしながら、このことには短所があって、人々が入口を歩く際に害のあるカルバメートに接触してしまう。
【０００６】
別の提案が特許文献１３に記載されていて、例えば蚊帳の一部分に第一の殺虫剤が含浸されていて、別の部分に第二の殺虫剤が含浸されており、少なくとも一方の殺虫剤が距離に応じた昆虫の殺虫を示めすことである。
【０００７】
この提案の短所は、本装置が蚊のような昆虫の行動を考りょする場合欠点となっていることである。第一の殺虫剤の遠隔殺虫作用は、代謝抵抗力（ＫＤＲ抵抗力とは対照的に）を有している蚊に迅速な作用を与えるので、これらの蚊は蚊帳にはとまらないで第二の殺虫剤に接触する。従って、殺虫されない代謝抵抗力のある蚊が生まれる。蚊帳を囲んでいる致死量により、わずかな昆虫だけが致死作用のある空間に飛んでゆく。従って、もし昆虫が空間内に閉じ込められないと、殺虫剤の蒸発が大きいので、昆虫は殺虫されるが、昆虫がこの空間の外側にいる場合には、昆虫は殺虫されない。本装置は、昆虫を空間内に保持しなくても有効なものであるけれども、昆虫を殺虫するのに完全なものではない。しかしながら、マラリアに打ち勝つには、昆虫を殺虫することが重要である。というのは、昆虫は、遠隔殺虫作用範囲外に犠牲者のいる場所を見つけるからである。従って、マラリアに打ち勝つ別の装置が必要となる。
【０００８】
特許文献１３において、遠隔殺虫作用のある布が蚊帳の効果を増すために同一の部屋に吊られている本装置は、マラリアに打ち勝つには適切なものでないが、蚊は殺虫される。この場合、布は遠隔殺虫作用のある殺虫剤を有していているが、蚊帳は殺虫剤を有していても有していなくてもよい。しかしながら、遠隔殺虫作用は迅速に作用するので、そのような装置は部屋に蚊が入ってくるのを防ぐだけで、マラリアを持った蚊を減らすことはできない。
【０００９】
非特許文献２において、上部がカルバメート・カルボンスルファン処理され、下部がピレスロイド・ビフェンスリン（pyrethroid bifenthrin）又はデルタメトリン処理された蚊帳につき実験が行なわれ、評価されている。これらのカルボメイトとピレスロイド処理された蚊帳は、カルボメイト処理だけをされた蚊帳より優れているとの結果は得られなかったけれど、ピレスロイド処理だけをされたものよりも優れていた。さらに、蚊は常に蚊帳の上方から攻撃を試み、そして最初に蚊帳のカルボメイト処理された場所にとまる。本文献にて報告されているカルボメイトの強力な殺虫作用は考りょすべきものであって、下部をピレスロイド処理する必要はない。蚊帳において二つの処理をすることの結論はないが、本結果にもとづいて、カルボメイト処理した蚊帳はピレスロイド処理したものよりすぐれている。というのは、カルボメイトは迅速な作用に欠けているからである。
しかしながら、一般にカルボメイトはピレスロイドと比較して人間に対して有害であり、そのピレスロイドは、市場で入手可能なPerma Net（商標名）として使用されているデルタメトリン、又は市場で入手可能なOlyset Net（登録商標）として使用されているペルメトリンのようなものである。このことが、市場においてピレスロイド処理された蚊帳が大勢を占めている理由である。カルバメート処理された蚊帳は選択肢となっていないので、マラリアに打ち勝つ方法を見つけなければならない。
【００１０】
前述の議論を考りょして、昆虫、特に蚊やハエによる被害を低減し、かつ昆虫による病気を低減するために、処方、製品の形態及び方法についての努力が必要とされていて、それらには、種々のタイプの殺虫剤の耐性に対する処方が含まれている。そして、殺虫剤の耐性及びマラリアの拡大を防ぐための新しい戦略の必要性がある。
【先行技術文献】
【特許文献】
【００１１】
【特許文献１】中国特許出願公開第１０９９８２５号明細書
【特許文献２】国際公開第９０／１４００６号パンフレット
【特許文献３】国際公開第０６１２８８７０号パンフレット
【特許文献４】国際公開第０６１２８８６７号パンフレット
【特許文献５】特開平０２−０６２８０４号公報
【特許文献６】特開平０４−１８５７６６号公報
【特許文献７】特開平０６−３４６３７３号公報
【特許文献８】特開平０７−３１６００３号公報
【特許文献９】米国特許第５５０３９１８号明細書
【特許文献１０】米国特許出願公開第２００７０００９５６３Ａ１明細書
【特許文献１１】米国特許出願公開第２００６０２８８９５５明細書
【特許文献１２】国際公開第００／４００８４号パンフレット
【特許文献１３】国際公開第２００７０８５６４０号パンフレット
【特許文献１４】国際公開第０１／３７６６２号パンフレット
【特許文献１５】国際公開ＰＣＴ／ＤＫ２００７／０００１７９号パンフレット
【特許文献１６】国際公開第０３０５５３０７号パンフレット
【特許文献１７】国際公開第０３／０６３５８７号パンフレット
【特許文献１８】国際公開第０７／０１７５１８号パンフレット
【特許文献１９】国際公開第０７／０１７５０２号パンフレット
【特許文献２０】国際公開第０６／１２７４０７号パンフレット
【特許文献２１】国際公開第０７／０１７４３３号パンフレット
【特許文献２２】国際公開第０６／１２５７４８号パンフレット
【特許文献２３】国際公開第０６／１２５７４５号パンフレット
【特許文献２４】国際公開第０６／１２２９４９号パンフレット
【特許文献２５】国際公開第０６／０９７４８８号パンフレット
【特許文献２６】国際公開第０６／０９７４８９号パンフレット
【特許文献２７】国際公開第０６／０９７２７９号パンフレット
【特許文献２８】国際公開第０６／０５８７３０号パンフレット
【特許文献２９】国際公開第０６／０５６４６２号パンフレット
【特許文献３０】国際公開第０６／０５６４３３号パンフレット
【特許文献３１】国際公開第０６／００２９８４号パンフレット
【特許文献３２】国際公開第０５／０５３４０２号パンフレット
【特許文献３３】国際公開第０５／０５３４０３号パンフレット
【特許文献３４】国際公開第０５／０４０１６２号パンフレット
【特許文献３５】国際公開第０５／０４０１４３号パンフレット
【特許文献３６】国際公開第０４／０１３１１２号パンフレット
【特許文献３７】国際公開第ＰＣＴ／ＤＫ２００７／０００３２１号パンフレット
【特許文献３８】国際公開第ＰＣＴ／ＤＫ２００７／００００７１号パンフレット
【特許文献３９】国際公開第ＰＣＴ／ＤＫ２００７／０００３１９号パンフレット
【非特許文献】
【００１２】
【非特許文献１】"Comparative evaluation of carbosulan-and permethrin-impregnated curtains for preventing house-entry by the malaria vector Anopheles gambiae in Burkino Faso"by C.Fanello et al.and published in Medical and Veterinary Entomology(2003)17,333-338．
【非特許文献２】"Combined pyrethroid and carbamate'two-in-on'treated mosquito nets:field efficiency against pyrethroid-resistant Anopheles gambiae and Culex quinquefacia-tus"by P.Guillet et al,published in Medical and Veterinary Entomology(2001)15,105-112,
【発明の概要】
【発明が解決しようとする課題】
【００１３】
本発明の目的は、昆虫、特に蚊の昆虫への耐性に打ち勝つための装置を提供することである。
【課題を解決するための手段】
【００１４】
本目的は、人間又は動物のための部屋であって、第一の物体と、前記第一の物体から離間している第二の物体とを備えている部屋により達成されていて、前記第一の物体が対象とする昆虫を接触することにより殺すために形成された取りはずし可能な第一殺虫剤、例えばピレスロイドを備えている。第一の殺虫剤は第一の殺虫剤に対する、対象とする昆虫の抵抗を誘発する可能性がある。前記第二の物体が、前記第一殺虫剤とは異なる第二殺虫剤、例えばカルボメイトを備えており、前記第二殺虫剤は、前記第一殺虫剤に対して抵抗力のある前記対象とする昆虫に対して接触殺虫及び殺虫作用のある殺虫剤を形成している。
異なる殺虫剤を備えた異なる物体を同一の部屋に設けることにより、一方の殺虫剤のに抵抗力のある昆虫が効率よく対象とすることができる。
用語“離間した”は、二つの物体が距離をおいて独立した物体であって、例えば第一物体が部屋の一部分に配置されており、第二物体が部屋の別の部分に配置されていると理解されるべきである。用語“殺虫剤”は昆虫病原物質をも防御するものである。
【００１５】
用語“接触殺虫”は、昆虫が物体に接触することにより生じる殺虫作用を意味している。それとは対照的に、遠隔殺虫作用の場合、昆虫は、物体と接触する前に撃退されるか、又は接触する前に殺虫され、従って接触はない。もし、昆虫の殺虫作用が達成されないなら、少量の殺虫剤が粉末又は蒸気として空中に放出されるという事実は問題がない。実際のところ、遠隔殺虫作用と対照的に、接触殺虫は撃退作用が非常に小さくて、より大くの蚊を殺虫する。
【００１６】
これに関連して、殺虫作用は常に統計的なものであって、１００％より小さく、そして一般に使用されている基準及びプロトコールに沿っているなら、殺虫作用として重要である。従って、本発明において接触殺虫は、もし昆虫に耐性が無いなら、物体にとまった蚊の５０％以上、又は７５％以上、又は９０％以上、又は９５％又は９９％以上が接触により殺虫されることを想定している。本発明において、殺虫される昆虫の数は接触殺虫によるものが大部分である。昆虫は、ほとんど遠隔殺虫作用によって殺虫されるものではない。例えば２５％以下、又は１０％以下、最も好ましくは５％以下、現実的にはデルタメトリンの場合、１％以下の部屋の中の蚊しか遠隔殺虫作用により殺虫されない。
【００１７】
実際のところ、デルタメトリンは遠隔殺虫作用があるとは見なされていない。このことは、特許文献１３に説明されていることであって、第二例はアルファサイパメトリン（alphacypermethrin）処理された蚊帳だけが遠隔殺虫作用を示めしていて、一方デルタメトリン処理された蚊帳は遠隔殺虫作用を示めしていない。また、第一例はデルタメトリン処理された蚊帳による遠隔殺虫作用はデルタメトリンの粉末の放出によるものと信じられていて、その粉末は蚊帳の含浸部分ではなくて製品からのデルタメトリン粉末の一部分である。洗たく後、この粉末は第二例のように除去され、遠隔殺虫作用はなくなる。
【００１８】
以下に、蚊に対する蚊帳及び壁面ライニングの例を用いて本発明が詳細に説明されるが、他の組合せも可能である。
【００１９】
非特許文献２に説明されているように、蚊はベッドに寝ている人間に上方から接近する傾向がある。従って、蚊は蚊帳の屋根にとまる傾向があり、もし蚊帳が長方形状の蚊帳であるなら、蚊は蚊帳の側面に沿って下降し、蚊帳の下方の被害者への通路を見つけようとする。下降中に、昆虫は第一殺虫剤、例えばピレスロイドにさらされ、もし昆虫がピレスロイドに対する耐性がなければ、死に至る。もし、昆虫に耐性があれば、昆虫は留まる場所をさがし、攻撃する機会を待つ。一般に、蚊は壁に居場所を見つける。蚊が血を吸った場合には、消化し卵を熟成するために室内にとどまる。このことを利用して、もし壁が壁面ライニング形状の第二の物体で覆われていることは、利点のあることである。この壁面ライニングは第二の殺虫剤、例えばカルバメイトを含んでいる。というのは、昆虫はピレスロイドとカルバメイトとに対する耐性を同時に示めすことはないからである。カルバメイトは、一般に使用されるピレスロイド・デルタメトリンのように人間に無害であることから、蚊帳に対してデルタメトリンを使用し、壁に対してカルバメイト、例えばベンディオカーブ（Bendiocarb）を使用することは、利点のあることである。
【００２０】
非特許文献２に説明されているような、上部をカルバメイト処理し、下部をピレスロイド処理した蚊帳と比較して、部屋における離間した二つの物体を備えた装置には、多くの利点がある。利点を説明するために、デルタメトリン処理した蚊帳及びカルバメイト処理した壁面ライニングを組合せた本発明と、非特許文献２とを比較する。第一の利点は、蚊帳を定期的に洗たくする際に見られる。カルバメイトを含んだ蚊帳は洗たくする人に有害な殺虫剤を曝露するけれども、デルタメトリン処理した蚊帳は無害である。第二の利点は、一般的に壁面ライニングは洗浄されないことによるものである。このことが、洗たくする人をカルバメイトにさらすことはなく、かつ、カルバメイトは洗たくにより減少されない。このことは、カルバメイト含有率が二つの処理をする蚊帳と比較して小さいものとなっていて、長期間にわたって殺虫剤の作用を制御するものとなっている。第三の利点は、ピレスロイドの撃退作用が離間したカルバメイト処理した壁面ライニングに与える影きょうは、二つの処理をした蚊帳のカルバメイト処理した頂部に比較した著しく小さいことである。第四の利点は、部屋に入ってきたこれらの蚊は壁面ライニングに覆われた壁にとまり殺虫され、一方、暗い場所にあるのではなく、かつ部屋の静かな場所にあるのではない蚊帳にはとまらない。第五の利点は、蚊帳の使用者は広い蚊帳で暗い壁面ライニングを好む場合に見られる。暗い壁面ライニングは蚊をとまらせるものであり、一方二つの処理をした蚊帳の白い頂部には蚊はとまらず、耐性のある蚊は二つの処理をした蚊帳より壁面ライニングにより殺虫される可能性が高い。第六の利点は、カルバメイト処理した蚊帳はＷＨＯにより蚊帳として使用することを推しょうされていない。
【００２１】
本発明は非常に簡素なものであるが、その効果は蚊の行動に関する知識に基づいたものであることが理解されるべきである。
【００２２】
カルバメイトは異なる代謝酵素を抑制するので、ピレスロイドに対する耐性の進行を鈍化させる。ベンディオカーブ（Bendio carb）はカルバメイトであって、そしてアセチルコリン・エステラーゼ酵素に対して抑制剤として作用する。従って、ベンダイオカルブは、ピレスロイドに対する異なったモードの作用を使用して、ＰＢＯと相乗作用することができる。カルバメイト耐性はアフリカにおいてピレスロイド耐性のように広がっておらず、本発明とこれらの殺虫剤との組合せはノック・ダウン・レジスタンス遺伝子（Knock Down Resistance gene）のまん延を低減し、デルタメトリンの有効寿命を延ばすことが期待される。
【００２３】
さらに、蚊は壁の高い部分にとまることが判明した。従って、もし壁の高い部分に第二の殺虫剤を含んだライニングを施せば十分である。利点のあることに、殺虫剤を備えた壁面ライニング（又は少なくとも壁面ライニングの殺虫剤の部分）は一定の高さより上方、例えば１ｍより上方、好ましくは１．２ｍより上方、最も好ましくは１．６ｍより上方だけに備えられていて、このことが人間、特に子供への接触を低減している。接触を低減することは、殺虫剤が、例えばカルバメイトのように人間に有害な場合に重要なこととなる。もし、上方の壁面ライニング又は壁面ライニングの上部だけがカルバメイトを備えているなら、子供が蚊帳に接触しカルバメイトするリスクを防止することができる。しかしながら、壁面ライニングは下部にさらなる殺虫剤、例えば人間には有害でないデルタメトリンを備えていてもよい。
【００２４】
さらに、蚊は壁の暗い色の部分に好んでとまる。従って、取りはずし可能な殺虫剤を備えた最上部を壁面ライニングに設ける場合、最上部を暗い色にすることは蚊を殺虫するのに有効である。
【００２５】
この装置は、蚊帳の屋根部分に相乗剤、例えばＰＢＯを備えることにより、より効果的なものとすることができ、その蚊帳の屋根部分は蚊が接近する第一の物体であって、早期に相乗剤を蚊に接種させることになる。
【００２６】
別の重要な実施形態は次のとおりである。アフリカの多くの国において、住居は小屋であって、小屋は壁、屋根、及び壁の上端と屋根との間の空間とを備えていて、その空間の高さは０．２〜０．４ｍである。蚊及び他の昆虫はこれらの空間から侵入してくる傾向がある。というのは、住居の移住者は、これらの空間にカーテン又はフォイルのような材料で覆っている。殺虫剤への耐性が増すに従って、小屋には対応策として殺虫剤がスプレーされてきた。しかしながら、殺虫剤の作用は数ヶ月続くだけであって、処置が繰り返されてきた。この空間を、布（例えばネット、フォイル又は防水布）製の殺虫剤の壁面ライニングで覆うことにより、一方で殺虫剤に対する障壁の作用を果たし、他方で昆虫を殺虫剤にさらすことになり、数年の長期にわたって昆虫への作用を達成することができる。用語“布”には、特殊な編み方をした“デュムリア（Dumuria）布”も含まれている。これらはPermaNet Dumuria（登録商標）として入手可能である。
【００２７】
この場合、第一の物体は屋根部分及び側面を備えた蚊帳であって、屋根部分は相乗剤を備えていて、この相乗剤は蚊帳の屋根部分に移行し均質混合され、この場合殺虫剤があってもよいしなくてもよい。もし、相乗剤が最上部の材料に均質混合されると、殺虫剤は均質混合されるか含浸と同じく表面処理される。代りに、相乗剤が表面処理されてもよくて、殺虫剤は屋根部分の材料に均質混合されてもよい。殺虫剤の均質混合の場合及び／又は相乗剤を材料に均質混合する場合、利点のあることに、材料はポリエチレンであって、融点が低いので相乗剤と殺虫剤とを分解することなく布を射出成形することに適している。しかしながら、その木綿のような感触のために、蚊帳の側面は好ましくはマルチ・フィラメント（multifilament）、例えばポリエステルポリエチレン又はポリプロピレン製のマルチ・フィラメントである。ポリエステルの融点はポリエチレンより高いもので、殺虫剤は表面処理、例えば含浸により備えられる。
【００２８】
しかしながら、蚊帳である第一の物体は例示のためのものであって、他の物体例えば部屋の一部分としての他のタイプの布、フォイル又は防水布であってもよい。
【００２９】
前述の壁面ライニングは蚊帳以外との組合せで使用してもよい。例えば、第一の物体及び第二の物体が壁面ライニングであって、第一の壁面ライニングが第一の殺虫剤を備えていて、第二の壁面ライニングが第二の殺虫剤を備えていてもよい。例示の蚊帳との組合せで前述したように、壁面ライニングが上部と下部とを有していて、最上部だけが取りはずし可能な殺虫剤を含んでいるか、又は、人間特に予備が殺虫剤に接触することを防止するために、殺虫剤の壁面ライニングがある高さより上に備えられているだけでもよい。従って、前述したように壁面ライニング又は壁面ライニングの上部が１．６ｍ以上の高さに備えられていることが好ましい。さらに、蚊が好む暗い色がこの上部ライニングに使用されてもよい。
【００３０】
代りに、第二の物体がカーテンであってもよい。壁面ライニングと同様に、カーテンが上部と下部とを有していて、上部だけが取りはずし可能な殺虫剤を含んでいてもよい。例えば、カーテンの上部は１．６ｍより高い位置に備えられている。代りに、上部が第一の殺虫剤を備えていて、下部が第二の殺虫剤を備えており、下部の殺虫剤は人間に無害な殺虫剤から選択されてもよい。
【００３１】
第一の物体又は第二の物体又は両者は、一部分が殺虫剤材料で覆われている家具であってもよい。
【００３２】
殺虫剤の作用が長期間続くことは興味のあることである。このことは、例えば特許文献１４，１５に記載されているように布を含浸させることにより達成されていて、両文献の開示内容を参考として包含するものである。代りに、本発明の関連して有用な解決方法は、第一の殺虫剤が第一の物体の一部分に移行して均質混合していることである。また、第一の物体及び／又は第二の物体が、特許文献１４，１５に記載されているように、含浸された木材、紙、カーペット、殺虫剤のブランケットを含んでいてもよい。
【００３３】
第一の殺虫剤がピレスロイドの場合、利点のあることに、第二の殺虫剤はピレスロイドを含んでいない殺虫剤でよい。もし、第一の物体又は第二の物体が相乗剤を備えている場合、利点のあることに相乗剤は両殺虫剤に対して効果のあるエンハンサーを選択することができる。例えばＰＢＯがデルタメトリン及びベンダイオカルブに対する相乗剤としての役割を果す。そのような相乗剤は、第一の物体又は第二の物体の材料の一部分に移行して均質混合してもよいし、蚊帳に関連して説明したように表面処理として備えられてもよい。他の相乗剤としては、スルホキシド、トロピタル（Tropital）、ブカポレイト（Bucarporate）、エチオン、プロフェノフォス（propenofos）又はディモソアトク（dimothoatc）を含んでいる。
【００３４】
蚊帳の例と同じであるが、第一の殺虫剤が第一の物体の第一の部分に備えられていて、相乗剤が第一の物体の第一の部分ではない第二の部分に備えられていてもよい。このことは、高価な相乗剤を第一の物体全体に処理する必要はないので、第一の物体のコストを低減する。蚊は上方から攻撃してくるので、第一の物体の第二の部分は第一の物体の第一の部分の上方に位置している。
【００３５】
本発明は前述において、主に第一の殺虫剤が第一の物体に備えられ、第二の殺虫剤が第二の物体に備えられているものとして説明してきたが、さらなる殺虫剤の物体が部屋に備えられてもよくて、本発明における他の物体各々が一つ以上の殺虫剤を備えていてもよくて、例えば、殺虫剤がすべての物体に備えられているか、物体の異なる部分に異なる殺虫剤が備えられていてもよい。
【００３６】
さらに、殺虫剤は特許文献３，１４に説明されていて、防虫剤の例も含まれていて、さらに以下にも説明されている。
・フェニールセミカーバゾン（phenylsemicarbazone）化合物、好ましくはメタフルミゾン（metaflumizone）、（特許文献１８，１９，２０に開示）
・アンスラニルアミド（anthranilamid）、（特許文献２１に開示）
・Ｎ−アリールヒドラジン（N-arylhydrazine）、（特許文献３に開示）
・１−フェニールトリアゾル（1-phenyltriazole）の誘導体、（特許文献４に開示）、例えばピレスロイドとの組合せ
・１−（イミダゾリン−２−ＹＬ）アミノ−１，２−ディフェニルエタン化合物（1-（Imidazolin-2-YL）Amino-1,2-Diphenylethane compound）、（特許文献２２に開示）
・１−（１，２−ディフェニール−エチル）−３−（２−ハイドロオキセシル）シウリア化合物（1-（1,2-Diphenyl-ethyl）-3-（2-Hydroxyethyl）Thiurea compound）、（特許文献２３に開示）
・マロノニトリル（Malononitriles）、（特許文献２４に開示）
・ビフェニール−Ｎ−（４−ピリディル）メチルサフォナミド（Biphenyl-N-（4-phridyl）Methylsufonamides）、（特許文献２５，２６に開示）
・アミドラゾン化合物（Amidrazone compound）、（特許文献２７に開示）
・ヒドラジド化合物（Hydrazid compound）、（特許文献２８に開示）
・アジン化合物、（特許文献２９に開示）
・２−シアノ−３−（ハロ）アルコキシ−ベンゼンサルファノマイド（2-cyno-3-（halo）alkoxy-benzenesulfanomide）、（特許文献３０に開示）
・ナノ粒子有機殺虫剤化合物、（特許文献３１に開示）
・Ｎ−アリールヒドラジン誘導体（N-arylhydrazine derivatives）、（特許文献３２，３３に開示）
・５−（２−アリアセタニド）イソシアジオル化合物（5-（2-Arylacetanido）Isothiaziole compound）、（特許文献３４，３５に開示）
・フルオラルケン誘導体（Fluoralkene derivative）、（特許文献３６に開示）
【００３７】
本発明における第一の物体は、例えば前述した蚊帳のような殺虫剤障壁であってもよくて、第一の物体は上部の殺虫剤ネット部分と下部とを備えていて、そのネットは選択された昆虫、例えば蚊が障壁から侵入することを防止するメッシュサイズを有しており、下部は、障壁の下端から４０ｃｍ以上、好ましくは７５ｃｍより好ましくは１００ｃｍの高さに延在していて、下部が殺虫剤の布、殺虫剤の防水布、殺虫剤のフォイル、上部のネットより引裂強度の強いネット材料を備えた殺虫剤のネット、上部のネットよりメッシュ密度又は糸密度の高いネット材料の殺虫剤のネット、又はそれらの組合せである、布、防水布、フォイル又は編まれていないもので作られた下部を備えた殺虫剤の障壁を設けることにより、障壁は従来技術の蚊帳に比較して、下部より強度が強く、そして殺虫剤の作用が長期間続く。本発明におけるこれらの目的及び例示は特許文献３７に説明されていて、ここに参考として包含するものである。
【００３８】
用語“殺虫剤の布”は編んだものか、ニットの織物又は編んでいないものを意味している。
【００３９】
居住用でない（non living）殺虫剤材料、例えば布又はネットを提供するプロセスが特許文献３８に開示されていて、その殺虫剤材料には、少なくとも一つの殺虫剤を含んでいる被膜をコーティングする前に少なくとも一つの相乗剤が移行され均質溶解されたポリマー・マトリックスを備えていて、特許文献３８は、本発明に利点的に使用されるので、参考としてここに包含するものである。
【００４０】
本発明における物体に関連する布に関して、殺虫剤の糸は第一の断面部分と第二の断面部分とを備えていて、第一の断面部分は、第一の断面部分のポリマー材料に均質溶解された殺虫剤、昆虫の殺菌剤、昆虫病原物質又は相乗剤、又はそれらの組合せを有していて、第二の断面部分は殺虫剤、昆虫の殺菌剤、昆虫に病原物質若しくは相乗剤を含んでいるか、又は第二の断面部分は、第二の断面部分のポリマー材料に均質溶解された殺虫剤、昆虫の殺菌剤、昆虫病原物質又は相乗剤、又はそれらの組合せを有している。第二の断面部分における殺虫剤又は相乗剤の成分は、第一の断面部分の殺虫剤、昆虫の殺菌剤、昆虫病原物質又は相乗剤、又はそれらの組合せの成分とは異なるものである。例えば、第一の断面部分は第一のタイプのフィラメントであり、第二の断面部分は第二のタイプのフィラメントである。この場合、殺虫剤の糸が本発明による第一のタイプのフィラメントと第二のタイプのフィラメントを有している。第一のタイプのフィラメントは殺虫剤を有していて、第一のタイプのフィラメントが、第一のタイプのフィラメントのポリマー材料に均質溶解された殺虫剤、昆虫の殺菌剤、昆虫病原物質又は相乗剤、又はそれらの組合せを有している。第二のタイプのフィラメントは、殺虫剤、昆虫の殺菌剤、昆虫病原物質又は相乗剤、を含んでいないか、又は第二にタイプのフィラメントのポリマー材料に均質溶解された殺虫剤、昆虫の殺菌剤、昆虫病原物質又は相乗剤、又はそれらの組合せを有している。第二のタイプのフィラメントにおける殺虫剤、昆虫の殺菌剤、昆虫病原物質又は相乗剤、又はそれらの組合せの成分は、第一にタイプのフィラメントにおける殺虫剤、昆虫の殺菌剤、昆虫病原物質又は相乗剤、又はそれらの組合せの成分とは異なるものである。このことは、特許文献３９に詳細に説明されており、特許文献３９は、本発明に利点的に使用されるので、参考にここに包含するものである。
【００４１】
図面を参照して本発明を以下に詳述する。
【図面の簡単な説明】
【００４２】
【図１ａ】図１ａは、蚊帳と壁面ライニングとの組合せを示めすもので、壁面ライニングが、壁と屋根とだけを覆っている。
【図１ａ】図１ａは、蚊帳と壁面ライニングとの組合せを示めすもので、壁面ライニングは、壁面の上端の下方にまで延在している。
【図２】図２は、本発明における蚊帳の第一実施形態を図示していて、ＰＢＯを含んでいる屋根を含んでいる。
【図３ａ】図３ａは、本発明における蚊帳の第一実施形態を図示していて、蚊帳は円錐状のスカートを有している。
【図３ｂ】図３ｂは、本発明における蚊帳の第一実施形態を図示していて、蚊帳は長方形状のスカートを有している。
【発明を実施するための形態】
【００４３】
図１ａは、壁１０と屋根１５とを有している小屋の部分である部屋１１を図示している。屋根１５は壁１０の上面１０’の上方に配置されていて、従って壁１０の上面１０’と屋根１５の下面１５’との間に空間１４が形成されている。部屋１１が、ベッド６を覆っている蚊帳１を含んでいて、そして壁１０と屋根１５との間の空間１４に充填された壁面ライニング１２を含んでいる。壁面ライニング１４は空間１４だけを覆うように図示されているけれども、壁面ライニング１４は、空間１４だけを覆うように図示されているけれども、壁面ライニング１４は、図１ｂに図示するように、上面１０’の下方に延伸していてもよいし、そして壁１０の一部又は全部を覆っていてもよい。もし、壁面ライニング１４が、人間にとって有害な殺虫剤を含んでいる場合、壁面ライニング１４の下端１４’が人間に接触するリスクを最小にする高さであることが好ましい。例えば、下端１４’は、１．６ｍより高い高さである。代りに、壁面ライニングがさらに下方に延伸して壁１０全体を覆ってもよい。しかしながら、この場合人間にとって有害な殺虫剤は壁面ライニング１４の上部分だけに含まれていることが望ましい。
【００４４】
第一の対象物である蚊帳は、別として、第二の対象物である壁面ライニングに関連して、部屋には、例えば一部に殺虫剤カバー１７を有している家具１６のような殺虫剤の対象物が含まれている。
【００４５】
図２には、ベッド６を覆っている円錐状の蚊帳１が図示されていて、蚊帳１はベッド６における人間を昆虫、特に蚊からの攻撃を防ぐためのものである。蚊帳１の屋根４は、選択的に殺虫剤と混合されるＰＢＯのような相乗剤を備えていて、そして、蚊帳１の側面５殺虫剤を含んでいる。選択的に、側面は相乗を含んでいない。固定リング９が屋根４と側面５との間に挿入されている。
【００４６】
一つの実施形態において、屋根４は、側面５の例えばポリエステルのようなポリマー材料とは異なる、例えばポリエチレンのようなポリマー材料で作られていてもよい。屋根４にポリエチレンを使用すると、繊維を射出成形する前に、殺虫剤を比較的低温で溶けたポリマーに均質混合することができる。というのは、ポリマーはポリエステルと比較して非常に低い溶融温度を有しているからである。
【００４７】
図３ａは、円錐状の蚊帳の別の実施形態であり、図３ｂは、長方形状の蚊帳を図示している。蚊帳１が屋根４と蚊帳１の下端３０に延伸している側面５とを有していて、蚊帳の上部２が屋根４と側面５の上部５０とを有しており、蚊帳の下部３は側面５の下部である。蚊帳は、人間又は動物のための空間、例えばベッド６を覆うべく延在している（図３ａ参照）。蚊帳の下方の空間に入るために、蚊帳１の下部３は表面が摩耗され、従って表面の内面がはく離する。蚊帳の上部２はベッド用に使用されるのに対し、下部３は耐摩耗製で、機械的強度の強い材料、例えば布、又は防水布又はその組合せが使用される。さらに、下部３には、表面を形成する殺虫剤がはく離することを考りょして高濃度の殺虫剤が含まれていてもよい。
【図１ａ】
2011501954.tif 000003
【図１ｂ】
2011501954.tif 000004
【図２】
2011501954.tif 000005
【図３ａ】
2011501954.tif 000006
【図３ｂ】
2011501954.tif 000007
【手続補正書】
【提出日】平成21年11月12日(2009.11.12)
【手続補正１】
【補正対象書類名】特許請求の範囲
【補正対象項目名】全文
【補正方法】変更
【補正の内容】
【特許請求の範囲】
【請求項１】
人間又は動物のための部屋であって、第一の物体と、前記第一の物体から離間している第二の物体とを備えている部屋において、
前記第一の物体は、蚊が前記第一の物体に接触したときに、前記蚊を殺すために形成された取りはずし可能な第一殺虫剤を備えていて、前記第二の物体は、前記蚊が前記第二の物体に接触したときに、前記蚊を殺すために形成された取りはずし可能な第二殺虫剤を備えており、前記第二殺虫剤は前記第一殺虫剤とは異なるものであり、前記第二殺虫剤は、前記第一殺虫剤に対して抵抗力のある前記蚊に対して殺虫作用のある殺虫剤を形成している、部屋。
【請求項２】
前記第一の物体が布である請求項１に記載の部屋。
【請求項３】
前記第二の物体が布である、請求項１又は２に記載の部屋。
【請求項４】
前記第二の物体がフォイルである、請求項１又は２に記載の部屋。
【請求項５】
前記第二の物体が防水布である、請求項１又は２に記載の部屋。
【請求項６】
前記第一の物体が蚊帳である、請求項１−５のいずれか一項に記載の部屋。
【請求項７】
前記蚊帳が屋根部分と側面とを有していて、前記屋根部分が相乗剤を備えている、請求項６に記載の部屋。
【請求項８】
前記相乗剤が、前記蚊帳の前記屋根部分の材料に移行されて均質混合されている、請求項７に記載の部屋。
【請求項９】
前記屋根部分の材料がポリエチレンである、請求項８に記載の部屋。
【請求項１０】
前記側面は相乗剤を含んでいない殺虫剤を備えている、請求項６−９のいずれか一項に記載の部屋。
【請求項１１】
前記側面の材料がポリエステルである、請求項６−１０のいずれか一項に記載の部屋。
【請求項１２】
前記第一殺虫剤が前記蚊帳の前記側面に染みこんでいる、請求項６−１１のいずれか一項に記載の部屋。
【請求項１３】
前記第二の物体が壁面ライニングである、請求項１−１２のいずれか一項に記載の部屋。
【請求項１４】
前記壁面ライニングが最上部と最下部とを有していて、前記最上部だけが取りはずし可能な殺虫剤を含んでいる、請求項１３に記載の部屋。
【請求項１５】
前記壁面ライニングの前記最上部が１．６ｍより高い、請求項１４に記載の部屋。
【請求項１６】
前記壁面ライニングの前記最上部が暗い色である、請求項１４又は１５に記載の部屋。
【請求項１７】
前記壁面ライニングの前記最上部が１ｍより高く、好ましくは１．６ｍより高い、請求項１３に記載の部屋。
【請求項１８】
前記第二の物体がカーテンである、請求項１−１２のいずれか一項に記載の部屋。
【請求項１９】
前記カーテンが最上部と最下部とを備えていて、前記カーテンの最上部だけが取りはずし可能な殺虫剤を含んでいる、請求項１８に記載の部屋。
【請求項２０】
前記カーテンの最上部が１．６ｍより高い、請求項１９に記載の部屋。
【請求項２１】
前記第一殺虫剤が前記第一の物体の材料の一部分に移行して均質混合している、請求項１−２０のいずれか一項に記載の部屋。
【請求項２２】
前記第一殺虫剤がピレスロイドである、請求項１−２１のいずれか一項に記載の部屋。
【請求項２３】
前記第一の物体が相乗剤を備えている、請求項１−２２のいずれか一項に記載の部屋。
【請求項２４】
前記相乗剤は、両方の殺虫剤の効果的なエンハンサーである、請求項２３に記載の部屋。
【請求項２５】
前記相乗剤がＰＢＯである、請求項２４に記載の部屋。
【請求項２６】
前記相乗剤が第一の物体の材料の一部分に移行して均質混合している、請求項２３〜２５のいずれか一項に記載の部屋。
【請求項２７】
前記第二殺虫剤がピレスロイドを含んでいない殺虫剤である、請求項１〜２６のいずれか一項に記載の部屋。
【請求項２８】
前記第二殺虫剤がカルバメートである、請求項２７に記載の部屋。
【請求項２９】
前記第二殺虫剤がベンダイオカルブである、請求項２８に記載の部屋。
【請求項３０】
前記第一殺虫剤が前記第一の物体の第一の部分に備えられていて、前記相乗剤が前記第一の物体の第二の部分に備えられて、前記第二の部分は前記第一の部分と異なる部分である、請求項１〜２９のいずれか一項に記載の部屋。
【請求項３１】
前記第一の物体の前記第二の部分が、前記第一の物体の前記第一の部分の上方である、請求項３０に記載の部屋。
【請求項３２】
前記部屋（１１）が、壁（１０）と屋根（１５）とを備えた小屋の部分であって、前記屋根（１５）は前記壁（１０）の上面（１０’）の上方に配置されており、従って前記壁（１０）の前記上端（１０’）と前記屋根（１５）の下面（１５’）との間に空間（１４）が形成されていて、前記空間（１４）には壁面ライニング（１２）が充填されている、請求項１３〜１７のいずれか一項に記載の部屋。
【請求項３３】
前記壁面ライニング（１４）が前記壁（１０）の前記上面（１０’）の下方に延伸している、請求項３２に記載の部屋。
【請求項３４】
第一殺虫剤に対する昆虫の抵抗を無効にする方法であって、
第一の物体と、前記第一の物体から離間している第二の物体とを備えている部屋を設ける段階と、
対象とする昆虫を接触することにより殺すために形成された取りはずし可能な第一殺虫剤を前記第一の物体に設ける段階であって、前記第一殺虫剤は前記対象とする昆虫の間に前記殺虫剤に対する抵抗力を誘発する可能性がある段階と、
前記対象とする昆虫を接触することにより殺すために形成された取りはずし可能な第二殺虫剤を前記第二の物体に設ける段階であって、前記第二殺虫剤は前記第一殺虫剤と異なるものである段階と、
前記第一殺虫剤に対して抵抗力のある前記対象とする昆虫に対して殺虫効果のある前記第二殺虫剤を選択する段階と、を含んでいる方法。
【請求項３５】
前記第一の物体が蚊帳であって、前記第二の物体が下端部を有している壁面ライニングであって、そして前記方法は前記下端部を１．０ｍより高い高さに配置する段階を含んでいる、請求項３４に記載の方法。
【国際調査報告】
2011501954.tif 000008
2011501954.tif 000009
2011501954.tif 000010